(57)【特許請求の範囲】
【請求項１】
管状部材の下端に１本又は複数の湾曲した釣り針を設け、管状部の上端側は円錐形に縮小加工して、釣り糸を中通しした際に釣り糸の結び部が固定できるように構成した釣り針の製造方法であって、パイプ材の下端を長手方向途中まで切り離されないよう１本又は複数切断加工し、切断したパイプ材の各断片を加工して釣り針と為し、パイプ材の上端側を管状部材とし、管状部材の上端を円錐形に縮小加工することを特徴とする釣針の製造方法
【請求項２】
管状部材の下端に複数の湾曲した釣り針を設け、管状部の上端側は円錐形に縮小加工して、釣り糸を中通しした際に釣り糸の結び部が固定できるように構成した釣り針の製造方法であって、丸棒の下端を長手方向途中まで切り離されないよう複数切断加工し、切断した丸棒の各断片を加工して釣り針と為し、丸棒の上端からパイプ状に貫通するように穴を設け管状部材を形成し、上端を円錐形に縮小加工することを特徴とする釣り針の製造方法
【請求項３】
管状部材の下端に複数の湾曲した釣針を設け、管状の上端は円錐形に縮小加工して、釣り糸を中通しした際に釣り糸の結び部が固定できるように構成した釣針の製造方法であって、板材の下端の長手方向途中まで切り離されないよう複数切断加工し、切断した板材の断片を加工して釣り針と為し、板材を丸めて、接合して管状部材を形成し、上端を円錐形に縮小加工することを特徴とする釣り針の製造方法
【請求項４】
請求項１記載の製造方法によって作成された釣針
【請求項５】
請求項２記載の方法によって作成された釣針
【請求項６】
請求項３記載の方法によって作成された釣針
【発明の詳細な説明】
【０００１】
【発明に属する技術分野】
本発明は、各魚種から烏賊釣りまで各種における釣り針である。老人から子供まで、円錐形パイプ内に釣り糸を通し、釣針のフック側の釣り糸の末端を結び瘤を作り、釣り糸を軸頭部方向に引く事に拠って、釣り糸に釣針が取り付けれる、また烏賊釣り針は針を１本１本擬餌に取り付け適応本数を結束しているが、軸部が円錐形パイプで軸頭部より針先まで一体式に作られた針は製造段階に適応本数に加工されているので、擬餌に取り付ける針が簡単に取り付けれ、又軸頭部より針先まで一体式に作られた針は誰でも簡単に釣り糸に針が取り付けれる、擬餌に取り付ける針等も誰でも簡単に取り付けれ、１本フックから複数のフックまで軸頭部より針先まで一体式に作られた釣り針である。
【０００２】
【従来の技術】
従来の釣針は釣り糸を針の軸部に結びつけ、魚釣りを行っているのが大半で、釣針を釣り糸に直接結び付るには、結び方を覚えれば、比較的簡単だが、鮎の友釣りによく使われる錨型３本針、４本針は、釣り糸を中心に、１本１本針の軸部を釣り糸に添わせ結束糸を使い結束し、接着剤で結束部を接着し固定する方法を取っているのが大半だが、近年は、沢山の方々によって、鮎釣り用仕掛けスリーブが考案され３本錨針、４本錨針を作る時に樹脂スリーブに針の軸部を入れ、熱湯をかけ、スリーブの収縮によって固定する方法と、アルミ製パイプに釣糸と釣針の軸部を入れ道具によって、圧縮し固定する方法と、針の軸部を合わせ錨形にし、軸部を白鉛接合し錨形を作る方法とパイプに針の軸部を沿わせ白鉛接合で、１本針から４本錨型針を作る方法を取っているのが現状である。
【０００３】
従来の釣り針は、細身の丸棒の状態で、加工されている為、太い針は少ないが、針の中で、代表される鮎釣り針、渓流針、海釣り針ではアブミ針等が有るが、これらの針は細身ゆえに焼入れが難しく、軸部からフック部の区点で折れやすく、一つの難点である。
【０００４】
従来の鮎釣用３本、又は４本錨針は釣り糸に軸を添わせて結束糸で固定し接着剤によって作られているのが大半である。
【０００５】
従来の烏賊釣用の針は擬餌に、釣針を１本、１本、添わせ針を複数取り付け針金等を使い結束している。
【０００６】
【発明が解決しょうとする課題】
従来の釣針は軸頭部を加工しチモトを設け、釣り糸を針の軸部に直接結び付けたり、軸部の背に釣糸を沿わせ、結束糸で結束し接着剤で接着し、釣糸と針を接続していた、３本針から４本針の錨型針を作る時は、釣り糸を中心に針の軸部を釣り糸に三面から四面を沿わせ、結束糸で、軸部を結束し接着剤で接着したりハンダ付けしたり、パーツと接着剤等に拠って、錨型針が作られて入る。
【０００７】
釣糸を針に結束糸で、結束し接着剤で接着される事で、接着部と釣糸部接点が、弱くなり、針に釣糸を結び付た時は結び部が、弱くなり、切れることも多々あり、釣り人の一つの悩みでもあり、又釣り糸を針に結び付ける作業は、子供、女性、高齢者の一つの苦労と悩みの種である。
【０００８】
鮎の友釣り用の針は、ここ近年全国で、３本錨針、４本錨針等が主流と成り、友釣り針を作るのに大変苦労して作っているのが現状である。
釣り糸を中心に針の軸部を３本、４本と沿わせ糸で結束するのは、熟練者ですら、非常に困難な作業である、針軸部に釣糸を沿わせ結束糸で軸部を結束し、接着剤を使い接着する方法が主流で有るが、平成年度に入り、沢山の人達により錨針を作る為のパーツが発明されたが、何れも接着剤を必要とし、時にはハンダ付けを用いる。
【０００９】
ハンダ付けを行い固定するには大変な手間隙が必要となる又ハンダ付けに使用されるハンダは鉛から出来ており、糸切れし川、沼、海等にハンダ付けされた針が残り、鉛に含まれる有害物質が水に溶け水害汚染され原因の一端と成っている。
【００１０】
鮎の友釣り用、３本錨針、４本錨針を作る際は、結束糸と接着剤で、釣り糸を中心にし、結束糸によって針の軸部を結束し、接着し固定する、接着し固定する際に、接着剤が凝固時に化学変化によって、発熱し、釣り糸の接点が弱くなり魚が、かかったときに糸切れが多々ある。
【００１１】
複数の針を結束する事で、針自身が重くなり、川底の石を引っ掛けたり、小石を拾ったり、又、針の重さで、鮎が弱る原因にも成っている。
【００１２】
鮎釣り用の針は軸頭部にチモトを作らずに軸部の表面を波型にしたり、窪みを作り結束糸と針がズレたり、抜けない様に加工されているが、結束が不十分だったり、接着が不十分だと、針が熊手状態になり針の役割を果たさない事が往々に有る。
【００１３】
【課題を解決する為の手段】
上記目的を達成する為にパイプ材、丸棒材、平板材による請求項１から請求項３記載内容に基づき軸部を円錐形パイプ加工、フック部を一本から数に応じ必要本数に切断加工し、フックを針の適応形状に加工し、軸頭部より針先まで、一体式に釣り針を製作する。
【００１４】
軸頭部より針先まで一体式に作る釣針は、必要な長さに切断し、フックを必要な本数にプレス又は高速カッター、レーザー、ワイヤー加工によって切断加工し、さらに軸部を円錐形パイプに加工し、針の適応形に曲げる、又区点より軸頭部に対してフックを２％から１００％必要に応じ割り込ませ、フック部を軸頭部より針先に対し、フック全長の７０％から９５％の間で、フック形状を丸、楕円、Ｖ、Ｕ、ハート、銀杏、潰Ｕ型又は逆Ｖ、Ｕ、ハート、銀杏、潰Ｕ型等にフックを各適応形状に加工、又は全体を丸、楕円、六角形、八角形に加工する事によって、軽量かつ、細身で強く折れにくい針ができ、フッキングの際一番力の掛かる区点が曲げ戻しに対し強くなり、折れにくい
【００１５】
軸頭部より区点に対し、軸部に立てに切り込み又は隙間を設ける事によって、釣り糸の取り付けがより一層簡単に成る。
【００１６】
丸棒に依って針の軸部に当る箇所を円錐形に加工し、軸部を針先端より軸頭部に対して、必要の無い部分をドリル、レーザー、放電加工によって丸棒中心部を取り除きパイプ状に加工し、フック部の必要な長に応じ、針先より軸頭部に対し、適応本数にフックを切断加工し、釣り針の適応形状に曲げ加工する。
【００１７】
鮎釣り針、渓流釣り針、アブミ針などの共通点は細身の丸棒を曲げ加工し作られている点にある、細身が原因で破損しやすく針に対し曲げ戻しの一番力の掛る区点箇所の表面に力が加わり、裂傷し破断する。
上記、記載を解決する為に、フックから軸部に対し逆Ｖ、Ｕ、潰Ｕ、銀杏、ハート形又は丸、楕円、六角形、八角形、Ｖ、Ｕ、潰Ｕ、銀杏、ハート型に加工し、フック中間ぶより区点部に対し幅広く太く加工することに依って、区点部は強く破断しなく成る。
【００１７】
フック部を逆Ｖ、Ｕ、ハート、銀杏、潰Ｕ形又はＶ、Ｕ、ハート、銀杏、潰Ｕ形に加工し軸頭部より針先まで一体式に作ることで、釣針が軽量に出きる為に、川底の石に針がかりし、小石を拾うことが軽減され又反対に重さを必要とされる針等も軸部の肉厚と針の肉厚さを変えることで重い針もできる
【００１８】
当発明の針は２本錨針、３本錨針、４本錨針、５本錨針、６本錨針と必要に応じた数のフックと軸部と一体式に作ることができ、従来の様に、３本錨針、４本錨針６本錨針を作るのに、結束糸、接着剤、ハンダ、スリーブが使われているが、当発明の針は結束糸、ハンダ、スリーブ等が不用である。
【００１９】
請求１項、から請求３項の内容に基づき軸頭部より針先まで一体式の針を製作する事に拠って、１本から複数のフックを作ることができ烏賊釣用擬餌に取り付ける針等も１０本フック針、１５本フック針も可能である。
【００２０】
当発明した請求項１の構造によって、作られた釣り針は、軸部内に糸通しできる円錐形パイプで、内部に通した糸のフック方面を結び瘤を作り、軸頭部側の糸を軸頭部方向へ引くことで、簡単に針と糸が連結でき、又１本針は円形軸の下端はフックに対し凸起しているため従来のようにハリスを結び付けることもでき、初心者から熟練者又子供、女性、老人と誰でも簡単に糸に針が連結でき多目的利用できる、軸頭部より針先まで一体式に作られた釣針である。
【００２１】
【発明の実施の形態】
図１図２において請求項１記載より請求項３記載の軸頭部より針先まで、一体式に作られた、４本錨針、１軸頭部より２，３区点までが軸部に成り、Ｃフック部最後尾部区点より針先までがフック部針先より区点まで、４本又は適応本数に切り分ける。フックは針先に対し、区点の箇所を一番広い箇所とし、曲げ点から区点を通し、針先に対し、図６、７、８、９、１０に示す逆ハート、Ｕ、Ｖ、潰Ｕ、銀杏型又丸、楕円、六角形、八角形、Ｖ、Ｕ、ハート、銀杏、潰Ｕ型等適応形態に加工し、図１４の１本針のフック部は上記記載等の適応形態に加工し、針先から軸頭部まで一体式に作られている釣針
【００２２】
フック部の断面は図６、７、８、１０に示す形態があるが、軸部に区点よりフック部最後尾を、適応に応じ割り込み率を軸部ヘフックの断面図６，７，８の形状を加工する。
【００２３】
図２断面図に示す軸頭部より区点まで同厚、区点より針先加工基まで肉厚を同厚にし、針先加工基より針先に対して鋭利に加工されるフックと区点より軸頭部に対して薄く加工し、図２１の左図に示す区点より針先に対して鋭利に細く作られたフックもある。
【００２４】
図３、Ｂ〜Ｂ断面図の軸中央部は円形パイプであり、図４、Ｃ，６〜Ｃ‘６断面図は曲げ点部の断面図で図５は２、３、Ｄ〜２、３、Ｄ′断面図は区点部図で軸部に逆Ｖ型フックが割り込んだ図である。
【００２５】
図１４に記載されている１本針は請求項１記載内容によってつくられ、軸部を曲げ点より針先に対して１５度曲げて有る図であるが、又軸部を針先に対し直立から４５度、針先反対方向直立から４５度の間で必要に応じ曲げられ製作して有る軸頭部より針先まで一体式に作られた針もある。
【００２６】
図９はフック部Ｆ−Ｆ’箇所の形状を、逆Ｕ形に加工し、さらに潰した左図逆Ｕ形と中央図Ｕ形である右図はＦ−Ｆ’箇所のフック部銀杏形の断面図である。
【００２７】
図１０はＦ−Ｆ’箇所の各種フック部の断面図である
【００２８】
図１１は請求項２記載内容によって作られた丸棒材による４本錨針の完成図である
【００２９】
図１２は逆Ｕ形フックを代表しフックを軸頭部まで割り込み加工しフックを逆Ｕ形に加工しフックを針の形態に曲げた完成図と断面図である
【００３０】
図１３は図１２記載内容で完成された針の中央部の平面の断面図である
【００３１】
図１４は請求項１記載内容によって作られた左図より１本針の完成図と断面図である
【００３２】
図１５の左図は１本針のフック部にハリスを結んだ図と右図は円錐形パイプの軸部にハリスを通しハリスに結び瘤を作りハリスを通した図である
【００３３】
図１６の左図は請求項１から３記載内容によってフック部を逆Ｖ型で作られた４本錨針と右図の３本錨針の平面図である
【００３４】
図１７の左図は軸部に軸頭部より句点まで隙間を設けた図と右図は軸部を円錐形パイプに加工された接合部を逆Ｖ形に隙間を設け軸頭部を点付溶接してある軸部の拡大図である
【００３５】
図１８は左図、請求項３記載内容の板材の断面図と右図請求３記載内容の板材を釣針の形状切断加工前に板材を針先加工基より針先に対して逆くの字形に加工された断面図である
【００３６】
図１９の左図は板材を軸頭部を厚めの逆フの字形に加工し針先加工基より針先に対し鋭利なフの字形に加工された断面図、右図は軸頭部をくの字形に加工し針先加工基より針先に対し鋭利な逆くの字形に加工された釣針形状加工前の板材の断面図である
【００３７】
図２０の左図は請求項３記載内容の板材によって軸部を曲げ加工によって円錐形パイプに成るよう四本フックの適応形に切断加工された図、右図は板材を軸部は円錐形パイプに成るよう加工し、フックをフック部最後尾より針先加工基まで同径にし、針先加工基より針先に対し代表し、丸、六角、八角、菱、三角、銀杏形等各適応形を保ち針先に対し鋭利に加工し、軸部を半円形に曲げた状態の軸頭部より針先まで一体式に作られた図である
【００３８】
図２１の左図はフック部最後尾より針先に対し、各種フックの形状を保ち鋭利に加工し、軸部を半円形に曲げた状態の図である、右図は軸部を円錐形パイプ状態に曲げ側面と側面の面を軸頭部よりフック部最後尾まで隙間を設けフックを釣り針の適応形状に曲げて軸頭部より針先まで一体式に作られた図である。
【００３９】
【発明の効果】
本発明は、以上説明したように構成されているので、以下に記載される様な効果を奏する。
【００４０】
軸頭部より針先まで一体式に作られた錨型針は軽量にでき簡単に糸に取り付けれ、従来の鮎釣り錨型針と比べると川底の石を引っ掛けたり、小石を拾うことが少ない、
【００４１】
軸頭部よりフック先端まで、逆Ｖ、Ｕ、ハート、銀杏、潰Ｕ型又は丸、楕円、六角形、八角形、Ｖ、Ｕ、ハート、銀杏、潰Ｕ型にする錨型針は針本来の一番力の掛かる区点部がＶ、Ｕ、ハート、銀杏、潰Ｕ型又は逆Ｖ、Ｕ、ハート、銀杏、潰Ｕ型の為に区点フック断面は下方が２方向広がっている形とＶ形に出来ている物と軸に対し区点箇所が幅広く作られたりしている為、力が分散され、従来の針に比べると区点部分の破断は解消されフック部は必要のない部分が無い為軽量にできる
【００４２】
フック部の針先から区点に対しフックの三分の一から六分の一より適応に応じ区点に対し末広く逆Ｖ、Ｕ、ハート、銀杏、潰Ｕ型又は丸、楕円、六角形、八角形、Ｖ、Ｕ、ハート、銀杏、潰Ｕ型にすることで、軽量で強度のあるフック針ができる。
【００４３】
従来の針はハリスを軸部に直接結束したり、ハリスを結束糸で結束し、接着剤で接着したり、スリーブ、ハンダなどによって錨型３本針、４本針を作るのに使用してきたが、軸頭部より針先まで一体式に作られた針は、これらを解消でき、子供、老人、女性までが、簡単に糸に針を装着できる。
【００４４】
請求項１請求項２請求項３記載内容による工程によって、軸頭部より針先まで一体式の釣針を作ることで、フックを必要な本数を適応に応じ、１本フックから１０本、１５本、２０本フック等も、軸頭部より針先まで一体式に作れる。
【００４５】
従来の針は釣糸で直接結束したり、針を結束糸で結束し、接着剤で接着し固定していた、その為に結束部に接着剤を使用する事で、接着剤が凝固時、科学変化によって発熱し、針の軸頭部とハリスの接着点が弱くなり、魚がかかった時に、切れることが多くある。
又、釣り糸で針を直接結束した時は、接着剤を使用した程ではないが結束部から、時々切れるが、発明した針は糸切れを一段と緩和される。
【００４６】
鋼、ステンレス、チタン合金、真鍮などによる材料で請求項１から請求項３記載の内容に軸頭部より針先まで、加工形態に切断加工し、軸部を円錐形パイプに曲げ、フックを釣り針の適応形状にまげて、軸頭部より針先まで一体式に作ることによって、従来の針と較べると大量生産も簡単にでき、一本針から４本錨針、イカ釣り針などのコストも安くできる。
【００４７】
図１８，１９による板材によって、軸頭部より針先まで加工形態に切断加工することで、フックを複数必要とされる針でも、フックを一度に４本でも６本でも釣り針の適応形状に曲げれ、曲げた後に軸を円錐形パイプに曲げることもでき、製作時間も短縮できる。
【００４８】
図１７に示すように円錐形パイプの軸頭部に逆Ｖ形に隙間を設け点付け溶接又は逆Ｖ形に切除加工することで、ハリスを軸頭部に通し、逆Ｖの箇所へハリスに結び瘤を作り引っ掛けて、止めることもでき又ハリスに結び瘤を作り軸頭部に引くことで針に糸を装着できる
【００４９】
請求項３記載内容によって軸頭部より針先まで一体式に切断加工し、針先加工基から針先まで三角形、菱、銀杏形を保ち鋭利に加工することで、針先が鋭くでき、魚に刺さっていく際に、身を切って、入り込むので、素早く針掛りする。
【００５０】
発明した上記、記載内容によって、軸頭部より針先まで一体式に創られた釣り針は、釣針をハリスに接続する作業は、誰でも簡単にでき、釣り場においても、簡単に素早く出来る、従来の様にハリスを針に結び付けることは、釣り場において時間を取られ、魚の釣れる頃合を逃したり、さびき仕掛けの枝針の何れかの部分の針が折れたり、軸頭部でハリスが切れた際に、仕掛け全体を捨てていたが、当発明した針は不能に成った箇所の釣針のみ、交換し取り付けでき、無駄な連結糸とハリスが必要で無くなり、釣り場を釣り糸で汚される事が軽減され、釣り糸による環境破壊、鉛などの環境破壊を軽減でき、末永い清いな、川、海、湖を保つべき考えの基に発明し、尚且つ、産業の向上に役立つ様に考えた釣り針である。
【図面の簡単な説明】
【図１】フック部逆型４本針の全体図である
【図２】フック部逆型４本針の断面図である
【図３】Ｂ−Ｂ’の断面図である
【図４】Ｃ６−Ｃ６’の断面図である
【図５】２、３、Ｄ−２、３、Ｄ’の断面図である
【図６】逆ハート型フック部の断面図である
【図７】逆Ｖ型フック部の断面図である
【図８】逆Ｕ型フック部の断面図である
【図９】逆Ｕ、Ｕ、銀杏形の断面図である
【図１０】フック部各形状の丸、楕円、六角、八角形の断面図である
【図１１】丸棒によって加工された４本錨の完成図である
【図１２】左図軸頭部までフックを割り込ませフック全体をＵ形の完成図と右図は断面図である
【図１３】軸頭部までフックを割り込ませた４本錨針の軸中央部の平面の断面図である
【図１４】左図１本針の完成図と右図断面図である
【図１５】左図は一本針のフック部にハリスを結び付けた図と右図はハリスに結び瘤を設け円錐形パイプの軸部に通した状態の１本針の図である
【図１６】左図４本フックと右図３本フックの平面図である
【図１７】左図軸部全体に隙間を設けてある図と右図軸頭部からフック方向より逆Ｖに隙間を設け軸頭部を点付けしてある拡大図である
【図１８】左図板材の断面図と右図針先を鋭利な逆くの字形に加工されている板材の断面図である
【図１９】左図軸頭部を厚めにし、くの字に加工し針先を鋭利なフの字に板材を加工してある断面図と右図軸頭部をくの字に針先を鋭利な逆くの字形に板材を加工してある断面図である
【図２０】左図板材によって軸頭部より針先まで切断加工された図と右図軸部を半円形に曲げフック部を区点より針先加工基まで各種の形態をとり同径にし、針先加工基より針先に対し各種の形態をとり鋭利に加工された図である
【図２１】左図板材によって軸頭を半円形に曲げ、フックを区点より針先まで各種の形態をとり鋭利に加工された図と右図板材によって軸頭部より針先まで一体式に作られた完成図である
【符号の説明】
１  軸頭部
２、３、Ｄ−２、３、Ｄ’  区点、切断箇所
４  針先
５  フック
Ｂ−Ｂ’  軸部中央
Ｃ、６−Ｃ’６  フック部最後尾及び曲げ、
Ａ−Ａ‘  四本針の切断箇所
Ｂ−Ｂ’  軸部中央の切断箇所
Ｅ−Ｅ’、Ｆ−Ｆ’Ｇ−Ｇ’  フックの断面図
Ｋ−Ｋ’  フック部の断面図である。
Ｊ  軸頭部の立ての隙間
Ｇ  針先加工基
Ｐ  側面
Ｑ  側面
Ｎ  軸部
Ｔ  点付け溶接
Ｈ  ハリス
Ｍ  曲げ点
【図１】
0003637370.tif 000002
【図２】
0003637370.tif 000003
【図３】
0003637370.tif 000004
【図４】
0003637370.tif 000005
【図５】
0003637370.tif 000006
【図６】
0003637370.tif 000007
【図７】
0003637370.tif 000008
【図８】
0003637370.tif 000009
【図９】
0003637370.tif 000010
【図１０】
0003637370.tif 000011
【図１１】
0003637370.tif 000012
【図１２】
0003637370.tif 000013
【図１３】
0003637370.tif 000014
【図１４】
0003637370.tif 000015
【図１５】
0003637370.tif 000016
【図１６】
0003637370.tif 000017
【図１７】
0003637370.tif 000018
【図１８】
0003637370.tif 000019
【図１９】
0003637370.tif 000020
【図２０】
0003637370.tif 000021
【図２１】
0003637370.tif 000022